(57)【要約】【課題】  分岐遮断器と電気的に接続される端子プレートの高さを調節でき、バスバーに接続される接触子の加圧力を長期間強力に維持でき、バスバー相互間の電気的な影響による分岐遮断器の誤作動を未然に防止できる分電盤用プラグを提供する。【解決手段】  主幹遮断器に接続された母線バスバーに分岐遮断器を電気的に接続するための分電盤用プラグ２００において、装着フレーム１６０に所定のバスバーに接続されるバスバー接触子１６１と、異なるバスバーが挿入される擬装接触子１６９と、分岐遮断器に接続される端子プレート１６４とを設ける。装着フレーム１６０をプラグボディ１５０に組み付け、プラグボディ１５０の前面に複数のバスバー挿入口１５１を形成する。擬装接触子１６９を隣接するバスバーの間に介在させ、バスバー相互間の電気的な影響を抑える。端子プレート１６４を装着フレーム１６０に対して高さ調節可能に装着する。【選択図】        図３
2011223859.tif 000002
【特許請求の範囲】
【請求項１】
ベースパネルの上面に主幹遮断器と複数の分岐遮断器とを配設し、主幹遮断器に母線バスバーを接続し、母線バスバーがベースパネルの上方に積層された複数のバスバーを含む分電盤において、前記バスバーのうち所定のバスバーと分岐遮断器とを電気的に接続するための分電盤用プラグであって、
該プラグが、前記所定のバスバーとの間に電気的な接触状態を形成するバスバー接触子と、前記所定のバスバーとは異なるバスバーが挿入される擬装接触子と、前記バスバー接触子に軟銅線を介して連結されるとともに分岐遮断器と電気的に接触する端子プレートと、前記バスバー接触子、擬装接触子及び端子プレートが装着される装着フレームと、前記装着フレームが結合されるとともに装着フレームと反対側に前記複数のバスバーを挿入する複数の挿入口が形成されたプラグボディとを備え、
前記装着フレームの一側部に縦方向複数の接触子装着部を形成し、該装着部のうち所定の接触子装着部に前記バスバー接触子を装着し、前記所定の接触子装着部と隣接する接触子装着部に前記擬装接触子を装着し、装着フレームの他側部に縦方向複数の端子装着部を形成し、該装着部のうち所定の端子装着部に前記端子プレートを装着したことを特徴とする分電盤用プラグ。
【請求項２】
前記バスバー接触子に、バスバーとの電気的接触部を該バスバーに加圧する加圧スプリングを設けたことを特徴とする請求項１記載の分電盤用プラグ。
【請求項３】
前記プラグボディの上側面に蓋取付部を形成し、蓋取付部に端子保護蓋の一側部を取り付け、端子保護蓋の他側部に工具を前記端子プレート側へ挿入可能な操作穴を形成したことを特徴とする請求項２記載の分電盤用プラグ。
【請求項４】
前記端子保護蓋の一側部上面に、相区別ステッカーを付着させたことを特徴とする請求項３記載の分電盤用プラグ。
【発明の詳細な説明】
【技術分野】
【０００１】
本発明は、分電盤の主幹遮断器に連結された母線バスバーに分岐遮断器を接続するための分電盤用プラグに関し、より詳しくは、分岐遮断器に接続される端子プレートの高さを分岐遮断器の種類に応じて調節可能で、長期間使用した場合でも、バスバーとプラグの接触部位に緩みが生じにくく、小振動などによるプラグのバスバーからの離脱を防止でき、隣接するバスバー間の電気的な影響による遮断器の誤作動を未然に防止できる分電盤用プラグに関する。
【背景技術】
【０００２】
一般に、多数の場所で電力を使用する建物や、多様な電気装置を使用する工場などでは、各々の場所又は装置に供給される電力を一箇所でコントロールできるように、分電盤が装備されている。従来の分電盤として、図１に示すように、板材で形成されたベースパネル１０上に、外部主電源をコントロールする主幹遮断器２０と、主幹遮断器２０とは別個に負荷回路への給電をコントロールする複数の分岐遮断器３０とを備えた分電盤が知られている。
【０００３】
主幹遮断器２０には複数本の母線バスバー４０が接続され、母線バスバー４０に複数本の子線バスバー４１を介して分岐遮断器３０が接続されている。これによって、外部主電源が主幹遮断器２０から母線バスバー４０と子線バスバー４１を通じて各々の分岐遮断器３０に供給される。なお、母線バスバー４０と子線バスバー４１は、導電性の金属製板材で形成されるとともに、クリップ４２等で相互に電気導通状態に連結されている。
【０００４】
このような構成の分電盤では、ベースパネル１０上に配列される複数の分岐遮断器３０に相間絶縁距離を確保するために、母線バスバー４０及び子線バスバー４１がそれぞれ一定の間隔をあけて配線される。このことから、バスバー４０，４１の通電部分が広範囲に露出し、感電事故の危険性が高まるうえ、バスバー４０，４１がベースパネル１０上に大きな面積を占有し、分電盤の外箱が大型化し、製造原価が上昇する問題点があった。
【０００５】
こうした問題点を解決するために、特許文献１には、図２に示すような組立式分電盤が提案されている。この分電盤では、子線バスバーを省略するために、母線バスバー４０の左右に配置した一対の分電盤用プラグ５０を介して分岐遮断器３０が母線バスバー４０に電気的に接続されている。分電盤用プラグ５０が母線バスバー４０と分岐遮断器３０との間に介在することで、バスバー４０の露出部分を少なくし、感電事故の危険性を減らし、分電盤の内部空間を効率的に活用することができる。
【先行技術文献】
【特許文献】
【０００６】
【特許文献１】韓国登録特許第１０−０７６７４００号公報
【発明の概要】
【発明が解決しようとする課題】
【０００７】
ところが、従来の分電盤用プラグ５０によると、次のような問題点があった。
（１）プラグ５０の固定端子５１が、一つの分岐遮断器３０の端子口３１の高さに合わせて、プラグボディに固定的に設けられているので、同じプラグ５０を端子口３１の高さが異なる他の分岐遮断器３０に適用することができない。
（２）プラグ５０を母線バスバー４０に結合した状態で長期間使用すると、プラグ５０に内装された接触子のバスバー４０に対する加圧力が徐々に弱化し、小振動などによって接触子がバスバーから簡単に離脱し、プラグ５０とバスバー４０の間に接触不良が発生しやすい。
（３）プラグボディに複数本のバスバー４０が比較的狭い間隔で挿入されるため、プラグ５０の接触子に結合されたバスバー４０が隣接するバスバー４０から電気的影響を受けやすく、こうした場合、プラグ５０に接続された分岐遮断器３０が誤作動を起す可能性があった。
【０００８】
本発明は上記問題点を解決するためになされたものであり、その目的は、分岐遮断器と電気的に接続される端子プレートの高さを調節でき、バスバーに接続される接触子の加圧力を長期間強力に維持できるとともに、バスバー相互間の電気的な影響による分岐遮断器の誤作動を未然に防止できる分電盤用プラグを提供することにある。
【課題を解決するための手段】
【０００９】
上記問題点を解決するために、本発明の分電盤用プラグは、ベースパネルの上面に主幹遮断器と複数の分岐遮断器とを配設し、主幹遮断器に母線バスバーを接続し、母線バスバーがベースパネルの上方に積層された複数のバスバーを含む分電盤において、バスバーのうち所定のバスバーと分岐遮断器とを電気的に接続するために、所定のバスバーとの間に電気的な接触状態を形成するバスバー接触子と、所定のバスバーとは異なるバスバーが挿入される擬装接触子と、バスバー接触子に軟銅線を介して連結されるとともに分岐遮断器と電気的に接触する端子プレートと、バスバー接触子、擬装接触子及び端子プレートが装着される装着フレームと、装着フレームが結合されるとともに装着フレームと反対側に複数のバスバーを別々に挿入する挿入口が形成されたプラグボディとを備え、装着フレームの一側部に縦方向複数の接触子装着部を形成し、該装着部のうち所定の接触子装着部にバスバー接触子を装着し、所定の接触子装着部と隣接する接触子装着部に擬装接触子を装着し、装着フレームの他側部に縦方向複数の端子装着部を形成し、該装着部のうち所定の端子装着部に端子プレートを装着したことを特徴とする。
【００１０】
また、本発明の分電盤用プラグは、バスバー接触子に、バスバーとの電気的接触部を該バスバーに加圧する加圧スプリングを設けたことを特徴とする。
【００１１】
さらに、本発明の分電盤用プラグは、プラグボディの上側面に蓋取付部を形成し、蓋取付部に端子保護蓋の一側部を取り付け、端子保護蓋の他側部に工具を端子プレート側へ挿入可能な操作穴を形成したことを特徴とする。
【００１２】
より好ましい分電盤用プラグは、端子保護蓋の一側部上面に、相区別ステッカーを付着させたことを特徴とする。
【発明の効果】
【００１３】
本発明の分電盤用プラグによれば、端子プレートを装着フレームの複数の端子装着部に選択的に装着するので、分岐遮断器の種類に合わせて、端子プレートの高さを簡単に調節でき、分電盤用プラグを複数種の分岐遮断器に汎用できるという効果がある。また、擬装接触子を隣接する２本のバスバーの間に介装したので、電流が流れるバスバーによる電気的な影響を受けにくくし、分岐遮断器の誤作動を未然に防止できるという効果もある。特に、バスバー接触子に加圧スプリングを設けることで、分電盤用プラグを長期間使用した場合でも、バスバー接触子によるバスバーの加圧力を強化し、両者を緩みなく確実に接続できるという利点もある。
【図面の簡単な説明】
【００１４】
【図１】従来の分電盤を示す斜視図である。
【図２】従来の分電盤用プラグを使用した分電盤を示す斜視図である。
【図３】本発明による分電盤用プラグの一実施形態を示す分解斜視図である。
【図４】図３の分電盤用プラグにおいて、（ａ）は装着フレームを示し、（ｂ）はバスバー接触子を示し、（ｃ）は擬装接触子を示し、（ｄ）は端子プレートを示す斜視図である。
【図５】図３の分電盤用プラグにおいて、プラグボディから端子保護蓋と相区別ステッカーを分解して示す斜視図である。
【図６】図５の分電盤用プラグを一対用いて母線バスバーに分岐遮断器を接続する様子を示す斜視図である。
【発明を実施するための形態】
【００１５】
以下に、上記目的を具体的に実現できる本発明の実施形態を添付図面を参照して詳細に説明する。なお、以下の実施形態の説明および図面において、同一構成については同一の名称と符号を用い、重複的な説明を省略する。
【００１６】
図３は分電盤用プラグ２００を分解して示す。図４は分電盤用プラグ２００の構成部品を示し、図４（ａ）は装着フレーム１６０を示し、図４（ｂ）はバスバー接触子１６１を示し、図４（ｃ）は擬装接触子１６９を示し、図４（ｄ）は端子プレート１６４を示す。図５は分電盤用プラグ２００のプラグボディ１５０と端子保護蓋１７０と相区別ステッカー１７３とを示す。図６は分電盤において、主幹遮断器１１０に接続された母線バスバー１４０に分電盤用プラグ２００を介して分岐遮断器１２０を接続する様子を示す。
【００１７】
図６に示すように、分電盤のベースパネル１００は所定面積の板材で形成され、分電盤外箱の内部に設置される。ベースパネル１００の上面には、主幹遮断器１１０、複数の分岐遮断器１２０及び母線バスバー１４０などが配置され、各部品間の短絡を防止した状態で、相互に電気的に接続されている。
【００１８】
主幹遮断器１１０は建物外部から引き込まれた主電源の供給・停止をコントロールする機能を備え、外部電源が主幹遮断器１１０から電力供給用電線１８０を介して母線バスバー１４０に供給される。このため、主幹遮断器１１０を遮断すれば、母線バスバー１４０に接続された複数の分岐遮断器１２０への給電が一斉に遮断される。
【００１９】
分岐遮断器１２０は、本発明による分電盤用プラグ２００によって母線バスバー１４０に接続され、主幹遮断器１１０からの電力を複数の負荷回路上の施設または装置などに分配する。分岐遮断器１２０には、負荷回路を開閉するために、通常の電源遮断器などと同様に機能するスイッチが設けられている。
【００２０】
母線バスバー１４０は複数本のバスバー１３０を含み、各バスバー１３０がベースパネル１００の上方で上下に積層されている。例えば、Ｒ相、Ｓ相、Ｔ相、Ｎ相に対応できるように、４本のバスバー１３０が、上下に積層された状態で母線バスバー１４０を構成し、主幹遮断器１１０からの電流を分流する。そして、分電盤用プラグ２００が、各相(Ｒ相、Ｓ相、Ｔ相、Ｎ相)のバスバー１３０のうち所定のバスバー１３０を分岐遮断器１２０に電気的に接続するようになっている。
【００２１】
次に、分電盤用プラグ２００の構成をより詳細に説明する。この実施形態の分電盤用プラグ２００は、分岐遮断器１２０を母線バスバー１４０にワンタッチで着脱可能にする中間コネクタの役割を果たす。図３に示すように、分電盤用プラグ２００の外形はプラグボディ１５０と装着フレーム１６０とにより与えられ、装着フレーム１６０にバスバー接触子１６１、擬装接触子１６９及び端子プレート１６４が装着されている。
【００２２】
バスバー接触子１６１は、４本のバスバー１３０のうち分岐遮断器１２０に接続される所定のバスバー１３０を挿入し、このバスバー１３０との間に電気的な接触状態を形成する。擬装接触子１６９は、絶縁材料で「コ」字形に成形され、内側の挿入部１７６に所定のバスバー１３０とは異なるバスバー１３０、つまり分岐遮断器１２０に接続されないバスバー１３０が挿入される。端子プレート１６４は、軟銅線１６６を介してバスバー接触子１６１に連結されるとともに、装着フレーム１６０の背面側に突出した状態で分岐遮断器１２０に電気的に接続される。
【００２３】
装着フレーム１６０と反対側において、プラグボディ１５０の前面には縦方向に４つの挿入口１５１が形成され、それぞれに４本のバスバー１３０が別々に挿入される。プラグボディ１５０の内側は中空部となっていて、装着フレーム１６０が後方から中空部に差し込まれ、プラグボディ１５０の左右の側壁により挟まれた状態で、プラグボディ１５０に結合される。
【００２４】
図３、図５に示すように、プラグボディ１５０の上面には蓋取付部１５２が形成され、蓋取付部１５２に端子保護蓋１７０が取り付けられている。端子保護蓋１７０の一側部には、蓋取付部１５２の掛止部１５３に着脱される装着部１７１が設けられている。端子保護蓋１７０の他側部には、プラグボディ１５０の後方へ張り出す被覆部１７４が設けられている。被覆部１７４の中心位置には、ドライバー等の工具を端子プレート１６４側へ挿入可能な操作穴１７２が形成されている。
【００２５】
この構成によれば、端子保護蓋１７０の被覆部１７４が端子プレート１６４を上方から覆って保護するので、分電盤用プラグ２００と分岐遮断器１２０との電気的接続部の露出面積を最少化して、分電盤の設置作業中に発生しやすい感電事故を未然に防止することができる。また、被覆部１７４の操作穴１７２から挿入した工具でネジ（図示略）を回し、プラグ２００側の端子プレート１６４と分岐遮断器１２０側の端子金具（図示略）とを容易に結合・切離しできる利点もある。
【００２６】
図３、図４（ｂ）に示すように、バスバー接触子１６１は、導電性の金属板材を折り曲げ、バスバー１３０を挿入できるように一側方が開放する断面「Ｃ」字形に形成されている。バスバー接触子１６１の背部には左右一対の装着片１６２が突設され、装着フレーム１６０の前側の接触子装着部１６７に掛止される。バスバー接触子１６１の前部には上下一対の接触部１７５が形成され、バスバー１３０と電気的に接触する。上下の接触部１７５の間には加圧スプリング１６３が架設され、その弾力によって接触部１７５がバスバー１３０の上下両側面に加圧される。
【００２７】
加圧スプリング１６３は、リング状の弾性線材を折り曲げて形成され、上下の接触部１７５を挟んで閉じる方向に付勢し、バスバー接触子１６１自身が保有する弾力を加勢し、接触部１７５によるバスバー１３０の加圧力を増大させる。従って、バスバー接触子１６１とバスバー１３０との電気的な接触状態を強固に維持し、バスバー接触子１６１でバスバー１３０を挟んだ状態で長期間使用した場合でも、双方の電気接続部位に緩みが発生しにくくなり、不意の衝撃によるバスバー１３０からのバスバー接触子１６１の離脱を確実に防止することができる。
【００２８】
図３、図４（ｄ）に示すように、端子プレート１６４は、導電性の金属板を「Ｌ」字形に折り曲げて形成され、前端起立部に左右一対の結合片１６５が突設されている。図４（ａ）に示すように、装着フレーム１６０の後側内面には縦方向に２段の端子装着部１６８が形成され、端子装着部１６８に結合片１６５が選択的に掛止される。端子装着部１６８の高さは、分岐遮断器１２０の端子口１２１（図６参照）の高さに対応し、端子プレート１６４が、端子口１２１の高さに合わせ、装着フレーム１６０に対して２段の高さ調節可能に装着される。なお、端子プレート１６４とバスバー接触子１６１との相対移動を許容できるように、軟銅線１６６の長さは余裕を持って設定されている。
【００２９】
図３、図４（ａ）に示すように、装着フレーム１６０の前側内面には縦方向に４段の接触子装着部１６７が形成されている。４段の装着部１６７のうち所定の接触子装着部１６７、つまり分岐遮断器１２０と電気的に接続されるバスバー１３０と対応する高さの接触子装着部１６７には、バスバー接触子１６１の装着片１６２が掛止される。これにより、バスバー接触子１６１が所定のバスバー１３０と対応する高さで装着フレーム１６０に装着される。
【００３０】
また、所定の接触子装着部１６７と隣接する接触子装着部１６７には、擬装接触子１６９が装着される。図４（ｃ）に示すように、擬装接触子１６９には、挿入部１７６の上下に仕切部１７７が隣接するバスバー１３０の間に介在するように設けられている。このため、プラグボディ１５０の前面に形成された４つの挿入口１５１にそれぞれバスバー１３０が挿入された状態で、電流が流れるバスバー１３０を仕切部１７７によって隣接するバスバー１３０から遮蔽し、電気的な影響による分岐遮断器１２０の誤作動を未然に防止することができる。
【００３１】
次に、上記のように構成された分電盤用プラグ２００の使用方法について説明する。図３に示すように、バスバー接触子１６１、擬装接触子１６９及び端子プレート１６４は装着フレーム１６０の所定位置に装着され、装着フレーム１６０がプラグボディ１５０に後方から結合され、分電盤用プラグ２００が図５に示すような形態に組み立てられる。一方、分電盤のベースパネル１００には、図６に示すように、Ｒ相、Ｓ相、Ｔ相、Ｎ相の４本のバスバー１３０を上下に積層して母線バスバー１４０が設置される。
【００３２】
分岐遮断器１２０の端子口１２１に設けられた端子金具には左右一対の分電盤用プラグ２００の端子プレート１６４が接続され、分電盤用プラグ２００の挿入口１５１が４本のバスバー１３０に噛み合わされる。このとき、分岐遮断器１２０が単相の負荷回路を開閉する場合は、２つのうち一方の分電盤用プラグ２００のバスバー接触子１６１を、例えば、母線バスバー１４０の最下部に位置するＮ相のバスバー１３０に電気的に接触するように、装着フレーム１６０の最下部の接触子装着部１６７に装着する。
【００３３】
また、Ｎ相の上側に隣接するＴ相のバスバー１３０がＮ相のバスバー１３０に流れる電流による影響を受けないようにするために、擬装接触子１６９をバスバー接触子１６１よりも一つ上段の接触子装着部１６７に装着する。そして、装着フレーム１６０の後部において、接続相手となる分岐遮断器１２０の端子口１２１と対応する高さの端子装着部１６８に端子プレート１６４を装着する。その後、装着フレーム１６０をプラグボディ１５０に組み付け、一対の分電盤用プラグ２００によってＮ相接続プラグを構成する。
【００３４】
同様な方法で、電流が流れるＲ相、Ｓ相またはＴ相のバスバー１３０に対応する高さの接触子装着部１６７にバスバー接触子１６１を装着し、それと隣接する接触子装着部１６７に擬装接触子１６９を装着し、接続相手の分岐遮断器１２０の端子口１２１と対応する高さの端子装着部１６８に端子プレート１６４を装着することにより、Ｒ相、Ｓ相またはＴ相接続プラグを簡単に構成できる。そして、最終的には、左右一対の分電盤用プラグ２００を組み合わせることによって、母線バスバー１４０と分岐遮断器１２０を単相接続することができる。
【００３５】
この場合、図５に示すように、プラグボディ１５０の蓋取付部１５２に端子保護蓋１７０を取り付けるとともに、端子保護蓋１７０の装着部１７１に相区別ステッカー１７３を貼り付ける。こうすれば、分岐遮断器１２０の接続作業を行う作業者が相区別ステッカー１７３の表示に基づいて接続相を間違いなく識別することができる。
【００３６】
従って、この実施形態の分電盤用プラグ２００によれば、次のような効果が得られる。
（Ａ）端子プレート１６４を装着フレーム１６０の複数（図示例では２段）の端子装着部１６８に選択的に装着するので、分岐遮断器１２０の種類に合わせて、端子プレート１２０の高さを簡単に調節でき、分電盤用プラグ２００を複数種の分岐遮断器１２０に汎用することができる。
（Ｂ）バスバー接触子１６１の上下の接触部１７５（図４ｂ参照）に加圧スプリング１６３が設けられているので、プラグ２０を長期間使用した場合でも、バスバー接触子１６１によるバスバー１３０の加圧力を一定かつ強力に保持し、両者を緩みなく確実に接続することができる。
（Ｃ）擬装接触子１６９の仕切部１７７が、プラグボディ１５０の内側から挿入口１５１を塞いだ状態で、隣接する２本のバスバー１３０の間に介在しているので、電流が流れるバスバー１３０による電気的な影響を受けにくくし、分岐遮断器２００の誤作動を未然に防止することができる。
【００３７】
なお、分電盤またはその周辺技術に関する知識を持つ当業者であれば、本発明の趣旨を理解し、それに基づいて分電盤用プラグの各部の形状や構成を適宜に変更して実施することができる。従って、本発明は、上記実施形態に限定されるものではなく、添付した特許請求の範囲に基づいてなされた全ての実施形態を含むものである。
【符号の説明】
【００３８】
１００：ベースパネル
１１０：主幹遮断器
１２０：分岐遮断器
１２１：端子口
１３０：バスバー
１４０：母線バスバー
１５０：プラグボディ
１５１：挿入口
１５２：蓋取付部
１６０：装着フレーム
１６１：バスバー接触子
１６３：加圧スプリング
１６４：端子プレート
１６６：軟銅線
１６７：接触子装着部
１６８：端子装着部
１６９：擬装接触子
１７０：端子保護蓋
１７１：装着部
１７２：操作穴
１７３：相区別ステッカー
１７４：被覆部
２００：分電盤用プラグ
【図１】
2011223859.tif 000003
【図２】
2011223859.tif 000004
【図３】
2011223859.tif 000005
【図４】
2011223859.tif 000006
【図５】
2011223859.tif 000007
【図６】
2011223859.tif 000008